(57)【要約】【課題】ＡＣ入力の歪率を変化させることなく利得が可変可能である増幅器を提供すること。【解決手段】ＡＣ入力が入力されるトランジスタＭ１およびトランジスタＭ１のドレイン端子側に接続されたインダクタンスＬＬを備える増幅器であって、基準電位とトランジスタＭ１のソース端子側とを接続する第１の接続線、および正電源電位とトランジスタＭ１のドレイン端子側とを接続する第２の接続線のうちの少なくとも一方のインピーダンスを制御するインピーダンス制御回路を備える。インピーダンス制御回路は、インダクタンス素子およびインダクタンス素子に直列に接続されるスイッチで構成されるインピーダンス制御素子が複数並列に接続されており、基準電位とトランジスタＭ１のソース端子との間、または正電源電位とトランジスタＭ１のドレイン端子との間の少なくとも一方に配置されている。【選択図】図１
2009200958.tif 000002
【特許請求の範囲】
【請求項１】
ＡＣ入力が入力されるトランジスタおよび前記トランジスタのドレイン端子側に接続された負荷を備える増幅器であって、
基準電位と前記トランジスタのソース端子側とを接続する第１の接続線、および正電源電位と前記トランジスタのドレイン端子側とを接続する第２の接続線のうちの少なくとも一方のインピーダンスを制御するインピーダンス制御回路
を備えることを特徴とする増幅器。
【請求項２】
前記インピーダンス制御回路は、
インダクタンス素子および前記インダクタンス素子に直列に接続されるスイッチで構成されるインピーダンス制御素子が複数並列に接続されており、
前記基準電位と前記トランジスタのソース端子との間、または前記正電源電位と前記トランジスタのドレイン端子との間の少なくとも一方に配置されている
ことを特徴とする請求項１に記載の増幅器。
【請求項３】
前記インピーダンス制御回路は、
前記第１の接続線と前記第２の接続線との間に配置された可変容量であることを特徴とする請求項１に記載の増幅器。
【請求項４】
前記第１の接続線と前記第２の接続線との間に配置された可変容量をさらに備えることを特徴とする請求項２に記載の増幅器。
【発明の詳細な説明】
【技術分野】
【０００１】
本発明は、増幅器に関し、より詳細には、可変利得の増幅器に関する。
【背景技術】
【０００２】
可変利得の増幅器であるギルバート掛け算器回路（Ｇｉｌｂｅｒｔ  Ｍｕｌｔｉｐｌｉｅｒ）が、従来高周波帯で用いられてきた（非特許文献１および２参照）。ギルバート掛け算器回路の一例を図８に示す。入力ＲＦ信号振幅ＶRFのＡＣ入力がトランジスタＱ１、Ｑ２に与えられ、入力直流電圧ＶLOのＤＣ入力がトランジスタＱＭ１〜ＱＭ４に与えられる。ＣＯＭは基準電位端子であり、ＶＰＯＳは正電源電位端子である。得られるＡＣ出力の出力ＲＦ信号振幅は、ＶRF×ＶLOに比例する。このようにギルバート掛け算器回路では、「（ＤＣ入力）×（ＡＣ入力）＝（ＡＣ出力）」という掛け算を実行でき、ＤＣ入力に比例したＡＣ出力が得られる。したがって、ＤＣ入力によってＡＣ入力の利得を可変させることができる。
【０００３】
【非特許文献１】B. Gilbert, “A precise four-quadrant multiplier with sub-nanosecond response,” JSSC SC-3, pp. 365〜373, Dec. 1968．
【非特許文献２】B. Gilbert, “The micromixer: A highly linear variant of the gilbert mixer using a bisymmetric class-AB input stage,” JSSC SC-32, pp. 1412〜1423, Sep. 1997．
【非特許文献３】Behzad Razavi, “Design of Analog CMOS Integrated Circuits,” McGraw-Hill, pp. 454, 2001．
【発明の開示】
【発明が解決しようとする課題】
【０００４】
しかしながら、ギルバート掛け算器回路では（符号は以下の説明の通り。）、ＩＣ（Ｑ１）＋ＩＣ（Ｑ２）＝Ｉｚは常に成立するものの、ＩＣ（ＱＭ１）＋ＩＣ（ＱＭ２）＝ＩＣ（ＱＭ３）＋ＩＣ（ＱＭ４）はＶLO平衡状態以外では成立せず、ＶＣ（Ｑ１）＝ＶＣ（Ｑ２）も成立しない。言い換えると、ギルバート掛け算回路を用いた可変利得増幅器では、ＶLOを利得制御のパラメータとするのでＡＣ入力の通過する系に存在するトランジスタＱ１およびＱ２の直流バイアス条件を変えてしまう。したがって、ＡＣ入力に対する歪率も変ってしまい、歪に対する最適化が困難になるという問題があった。
【０００５】
符号の説明 
ＩＣ（Ｑ１）；トランジスタＱ１のコレクタ電流
ＩＣ（Ｑ２）；トランジスタＱ２のコレクタ電流
Ｉｚ；トランジスタＱＣのコレクタ電流
ＩＣ（ＱＭ１）；トランジスタＱＭ１のコレクタ電流
ＩＣ（ＱＭ２）；トランジスタＱＭ２のコレクタ電流
ＩＣ（ＱＭ３）；トランジスタＱＭ３のコレクタ電流
ＩＣ（ＱＭ４）；トランジスタＱＭ４のコレクタ電流
ＶＣ（Ｑ１）；トランジスタＱ１のコレクタ電圧
ＶＣ（Ｑ２）；トランジスタＱ２のコレクタ電圧
【０００６】
本発明は、このような問題点に鑑みてなされたものであり、その目的は、ＡＣ入力の歪率を変化させることなく利得が可変可能である増幅器を提供することにある。
【課題を解決するための手段】
【０００７】
このような問題を解決するために、請求項１に記載の発明は、ＡＣ入力が入力されるトランジスタおよび前記トランジスタのドレイン端子側に接続された負荷を備える増幅器であって、基準電位と前記トランジスタのソース端子側とを接続する第１の接続線、および正電源電位と前記トランジスタのドレイン端子側とを接続する第２の接続線のうちの少なくとも一方のインピーダンスを制御するインピーダンス制御回路を備えることを特徴とする。
【０００８】
また、請求項２に記載の発明は、請求項１において、前記インピーダンス制御回路は、インダクタンス素子および前記インダクタンス素子に直列に接続されるスイッチで構成されるインピーダンス制御素子が複数並列に接続されており、前記基準電位と前記トランジスタのソース端子との間、または前記正電源電位と前記トランジスタのドレイン端子との間の少なくとも一方に配置されていることを特徴とする。
【０００９】
また、請求項３に記載の発明は、請求項１において、前記インピーダンス制御回路は、前記第１の接続線と前記第２の接続線との間に配置された可変容量であることを特徴とする。
【００１０】
また、請求項４に記載の発明は、請求項２において、前記第１の接続線と前記第２の接続線との間に配置された可変容量をさらに備えることを特徴とする。
【発明の効果】
【００１１】
本発明によれば、基準電位または正電源電位の少なくとも一方と増幅器とを接続する接続線のインピーダンスを制御するインピーダンス制御回路を設けることにより、ＡＣ入力の歪率を変化させることなく利得が可変可能である増幅器を提供することができる。
【発明を実施するための最良の形態】
【００１２】
以下、図面を参照して本発明の実施形態を詳細に説明する。  
（第１の実施形態）  
図１は、第１の実施形態に係る増幅器を示している。増幅器１００は、ソース接地の第１のトランジスタＭ１を備える。ＡＣ入力入力端子ＩＮが、直流阻止容量Ｃ１の一方の端子に接続され、直流阻止容量Ｃ１の他方の端子が、抵抗ＲＢおよびインダクタＬＩＮの一方の端子に接続される。抵抗ＲＢは、トランジスタＭ１の入力容量をキャンセルし、インダクタＬＩＮは、トランジスタＭ１の直流動作点を決定する。
【００１３】
抵抗ＲＢの他方の端子が、第２のトランジスタＭ２のゲート端子およびドレイン端子、ならびに直流バイアス電流入力端子ＩＢに接続される。第２のトランジスタＭ２のソース端子およびバルク端子が、増幅器基準電位ＶＳＳ１Ｐ８Ｉに接続される。
【００１４】
インダクタＬＩＮの他方の端子が、第１のトランジスタＭ１のゲート端子に接続される。トランジスタＭ１のソース端子が、ソース・ディジェネレイション用のインダクタＬＳを介して増幅器基準電位ＶＳＳ１Ｐ８Ｉに接続され、トランジスタＭ１のドレイン端子が、カスコードトランジスタＭＣ１のソース端子に接続される。カスコードトランジスタＭＣ１のゲート端子が、増幅器正電源電位ＶＤＤ１Ｐ８Ｉに接続され、ドレイン端子は、負荷インダクタンスＬＬを介して増幅器正電源電位ＶＤＤ１Ｐ８Ｉに接続される。増幅器１００の出力は、カスコードトランジスタＭＣ１のドレイン端子と負荷ＬＬの接続点である出力端子ＯＵＴから取り出される。
【００１５】
増幅器基準電位ＶＳＳ１Ｐ８Ｉと基準電位ＶＳＳ１Ｐ８との間のインピーダンスは、図１に示したように、インダクタンス素子Ｌ１Ｓ及びそれに直列に接続されるスイッチＳ１Ｓで構成される第１の基準電位側インピーダンス制御素子と、インダクタンスＬ２Ｓ及びスイッチＳ２Ｓで構成される第２の基準電位側インピーダンス制御素子と、インダクタンスＬ３Ｓ及びスイッチＳ３Ｓで構成される第３の基準電位側インピーダンス制御素子と、インダクタンスＬ４Ｓ及びスイッチＳ４Ｓで構成される第４の基準電位側インピーダンス制御素子とにより制御される。ここで、第２から第４の基準電位側インピーダンス制御素子は、第１の基準電位側インピーダンス制御素子と並列に接続されている。第１から第４の基準電位側インピーダンス制御素子を併せて、基準電位側インピーダンス制御回路と呼ぶ。
【００１６】
また、増幅器正電源電位ＶＤＤ１Ｐ８Ｉと正電源電位ＶＤＤ１Ｐ８との間のインピーダンスは、インダクタンスＬ１Ｄ及びそれに直列接続されるスイッチＳ１Ｄで構成される第１の正電源電位側インピーダンス制御素子と、インダクタンスＬ２Ｄ及びスイッチＳ２Ｄで構成される第２の正電源電位側インピーダンス制御素子と、インダクタンスＬ３Ｄ及びスイッチＳ３Ｄで構成される第３の正電源電位側インピーダンス制御素子と、インダクタンスＬ４Ｄ及びスイッチＳ４Ｄで構成される第４の正電源電位側インピーダンス制御素子により制御される。ここで、第２から第４の正電源電位側インピーダンス制御素子は、第１の正電源電位側インピーダンス制御素子と並列に接続されている。第１から第４の正電源電位側インピーダンス制御素子を併せて、正電源電位側インピーダンス制御回路と呼ぶ。
【００１７】
第１の実施形態に係る増幅器１００は、基準電位と増幅器とを接続する接続線のインピーダンスを、基準電位側インピーダンス制御回路のスイッチを開閉することにより制御する。また、正電源電位と増幅器とを接続する接続線のインピーダンスを、正電源電位側インピーダンス制御回路のスイッチを開閉することにより制御する。
【００１８】
たとえば、スイッチがＯＮ時の抵抗分がゼロ、ＯＦＦ時の抵抗無限大である理想スイッチを仮定した場合、スイッチを開閉させても、増幅器正電源電位ＶＤＤ１Ｐ８Ｉおよび増幅器基準電位ＶＳＳ１Ｐ８ＩになんらＤＣ的な変動を与えない。したがって、すべてのトランジスタの直流バイアス電流、トランジスタＭ１の直流入力の変動は生じない。しかしながら、ＡＣ的な成分、例えば増幅器正電源電位ＶＤＤ１Ｐ８Ｉから正電源電位ＶＤＤ１Ｐ８側を見たときのインピーダンス、及び増幅器基準電位ＶＳＳ１Ｐ８Ｉから基準電位ＶＳＳ１Ｐ８側を見たインピーダンスは、スイッチをＯＮすることで低下させ、スイッチをＯＦＦすることで上昇させることが出来るため利得を可変させることができる。
【００１９】
図２は、スイッチの開閉と増幅器の利得の変動との関係を示している。［Ｓ１Ｓ，Ｓ２Ｓ，Ｓ３Ｓ，Ｓ４Ｓ］＝［Ｓ１Ｄ，Ｓ２Ｄ，Ｓ３Ｄ，Ｓ４Ｄ］＝［Ｏｎ，Ｏｎ，Ｏｎ，Ｏｎ］の時の利得−周波数特性は、図２中のＯＵＴ＄Ｌ＿Ｌ４であり、［Ｓ１Ｓ，Ｓ２Ｓ，Ｓ３Ｓ，Ｓ４Ｓ］＝［Ｓ１Ｄ，Ｓ２Ｄ，Ｓ３Ｄ，Ｓ４Ｄ］＝［Ｏｎ，Ｏｎ，Ｏｎ，Ｏｆｆ］の時の利得−周波数特性は、図２中のＯＵＴ＄Ｌ＿Ｌ３であり、［Ｓ１Ｓ，Ｓ２Ｓ，Ｓ３Ｓ，Ｓ４Ｓ］＝［Ｓ１Ｄ，Ｓ２Ｄ，Ｓ３Ｄ，Ｓ４Ｄ］＝［Ｏｎ，Ｏｎ，Ｏｆｆ，Ｏｆｆ］の時の利得−周波数特性は、図２中のＯＵＴ＄Ｌ＿Ｌ２であり、［Ｓ１Ｓ，Ｓ２Ｓ，Ｓ３Ｓ，Ｓ４Ｓ］＝［Ｓ１Ｄ，Ｓ２Ｄ，Ｓ３Ｄ，Ｓ４Ｄ］＝［Ｏｎ，Ｏｆｆ，Ｏｆｆ，Ｏｆｆ］の時の利得−周波数特性は、図２中のＯＵＴ＄Ｌ＿Ｌ１である。この例ではインピーダンスの低下が利得の上昇という形で現れているが、これは回路定数の選び方によって、インピーダンスの低下が利得の低下を生ずる形にも設計できる。
【００２０】
さらに、非特許文献３に記載のある通り、ＡＣ入力をＶｍ×Ｃｏｓ（２πｆｔ）とした場合、
ＡＣ入力に対する歪率に対して最も影響を与える３次歪の大きさは、
ＡＨＤ３／ＡＦ＝Ｖｍ2／（３２×（Ｖｇｓ−Ｖｔｈ）2）
と表されるところ、本実施形態に係るインピーダンス制御はゲート・ソース間電圧Ｖｇｓを変化させないので、３次歪が変化せず歪率に対する影響が抑制されている。ここで、ＡＨＤ３はトランジスタ出力３次歪振幅、ＡＦはトランジスタ出力基本波振幅、Ｖｇｓはトランジスタのゲート−ソース間電圧、Ｖｔｈはトランジスタの閾値電圧である。
【００２１】
なお、図１を参照して説明した本実施形態では、基準電位側インピーダンス制御回路と正電源電位側インピーダンス制御回路の両方が設けられているが、いずれかのみを設けた場合でも、インピーダンス制御が可能であり、同等の効果が得られることに留意されたい。換言すると、基準電位または正電源電位と増幅器とを接続する接続線のインピーダンスを制御するインピーダンス制御回路を少なくとも１つ設けることで、本実施形態の効果が得られる。
【００２２】
ここで、図１には、増幅器として、Ｍ１、ＭＣ１，ＬＬ、ＬＳ、ＬＩＮ、Ｃ１、ＲＢ、Ｍ２、ＡＣ入力入力端子ＩＮ、直流バイアス電流入力端子ＩＢ、出力端子ＯＵＴを構成要素として示してあるが、ＡＣ入力が入力されるトランジスタ（Ｍ１が対応）と、トランジスタのドレイン端子側に接続された負荷（ＬＬが対応）と、基準電位（ＶＳＳ１Ｐ８が対応）および正電源電位（ＶＤＤ１Ｐ８が対応）とを備えていればよく、図１に示した形態に限定する意図はない。第３の実施形態に係る増幅器も参照されたい。なお、「ドレイン端子側に接続」とは、ドレイン端子に直接に接続される場合のみならず、ＭＣ１等の介在素子が存在する場合も包含することを意味する。
【００２３】
（第２の実施形態）  
図３は、第２の実施形態に係る増幅器を示している。増幅器３００は、基準電位側インピーダンス制御素子および正電源電位側インピーダンス制御素子を除いて、第１の実施形態に係る増幅器１００と同一である。増幅器３００は、増幅器基準電位ＶＳＳ１Ｐ８Ｉと増幅器正電源電位ＶＤＤ１Ｐ８Ｉとの間に、可変容量ＣＶ１を備え、これをインピーダンス制御回路として用いる。インピーダンス変動の観点から見ると、直列のインダクタンス挿入と並列の容量挿入とは等価であり、第１の実施形態と同様のインピーダンス制御を行うことができる。
【００２４】
なお、第２の実施形態を第１の実施形態と組み合わせて図４のように増幅器を構成することもできる。
【００２５】
（第３の実施形態）  
図５は、第３の実施形態に係る増幅器を示している。増幅器５００は、ゲート接地の第１のトランジスタＭ１を備える。ＡＣ入力入力端子ＩＮが、直流阻止容量Ｃ１を介して第１のトランジスタＭ１のソース端子に接続されるとともに、インダクタＬＢに接続される。インダクタＬＢは、第１のトランジスタＭ１のソース−増幅器基準電位ＶＳＳ１Ｐ８Ｉ間の直流パスを形成する。第１のトランジスタＭ１のドレイン端子が、カスコードトランジスタＭＣ１のソース端子に接続される。
【００２６】
カスコードトランジスタＭＣ１のゲート端子が、増幅器正電源電位ＶＤＤ１Ｐ８Ｉに接続され、ドレイン端子は、負荷インダクタンスＬＬを介して増幅器正電源電位ＶＤＤ１Ｐ８Ｉに接続される。増幅器３００の出力は、カスコードトランジスタＭＣ１のドレイン端子と負荷ＬＬの接続点である出力端子ＯＵＴから取り出される。
【００２７】
第２のトランジスタＭ２のドレイン端子には、ＤＣ電流が加えられ、第２のトランジスタＭ２によって電流―電圧変換される。この電圧が第１のトランジスタＭ１へと導かれて第１のトランジスタＭ１直流動作点を決定する。
【００２８】
増幅器基準電位ＶＳＳ１Ｐ８Ｉと基準電位ＶＳＳ１Ｐ８との間のインピーダンスは、図１に示したように、インダクタンス素子Ｌ１Ｓ及びそれに直列に接続されるスイッチＳ１Ｓで構成される第１の基準電位側インピーダンス制御素子と、インダクタンスＬ２Ｓ及びスイッチＳ２Ｓで構成される第２の基準電位側インピーダンス制御素子と、インダクタンスＬ３Ｓ及びスイッチＳ３Ｓで構成される第３の基準電位側インピーダンス制御素子と、インダクタンスＬ４Ｓ及びスイッチＳ４Ｓで構成される第４の基準電位側インピーダンス制御素子とにより制御される。ここで、第２から第４の基準電位側インピーダンス制御素子は、第１の基準電位側インピーダンス制御素子と並列に接続されている。第１から第４の基準電位側インピーダンス制御素子を併せて、基準電位側インピーダンス制御回路と呼ぶ。
【００２９】
また、増幅器正電源電位ＶＤＤ１Ｐ８Ｉと正電源電位ＶＤＤ１Ｐ８との間のインピーダンスは、インダクタンスＬ１Ｄ及びそれに直列接続されるスイッチＳ１Ｄで構成される第１の正電源電位側インピーダンス制御素子と、インダクタンスＬ２Ｄ及びスイッチＳ２Ｄで構成される第２の正電源電位側インピーダンス制御素子と、インダクタンスＬ３Ｄ及びスイッチＳ３Ｄで構成される第３の正電源電位側インピーダンス制御素子と、インダクタンスＬ４Ｄ及びスイッチＳ４Ｄで構成される第４の正電源電位側インピーダンス制御素子により制御される。ここで、第２から第４の正電源電位側インピーダンス制御素子は、第１の正電源電位側インピーダンス制御素子と並列に接続されている。第１から第４の正電源電位側インピーダンス制御素子を併せて、正電源電位側インピーダンス制御回路と呼ぶ。
【００３０】
第３の実施形態に係る増幅器５００は、第１の実施形態と同様に、第１〜第４の基準電位側インピーダンス制御素子または第１〜第４の正電源電位側インピーダンス制御素子のスイッチを開閉することによりインピーダンスを制御して、ＡＣ入力の歪率を変化させることなく利得を可変させることができる。
【００３１】
図６は、第２の実施形態と同様に、増幅器基準電位ＶＳＳ１Ｐ８Ｉと増幅器正電源電位ＶＤＤ１Ｐ８Ｉとの間に可変容量ＣＶ１を設けた増幅器を示している。図７は、第３の実施形態に係る増幅器と図６の増幅器とを組み合わせたものである。
【図面の簡単な説明】
【００３２】
【図１】第１の実施形態に係る増幅器を示す図である。
【図２】スイッチの開閉と増幅器の利得の変動との関係を示す図である。
【図３】第２の実施形態に係る増幅器を示す図である。
【図４】第１の実施形態と第２の実施形態を組み合わせた増幅器を示す図である。
【図５】第３の実施形態に係る増幅器を示す図である。
【図６】第３の実施形態に係る増幅器の変形形態を示す図である。
【図７】第３の実施形態に係る増幅器の変形形態を示す図である。
【図８】ギルバート掛け算器回路の一例を示す図である。
【符号の説明】
【００３３】
１００  増幅器
Ｍ１  トランジスタ
ＬＬ  インダクタンス（負荷に対応）
ＶＤＤ１Ｐ８  正電源電位
ＶＳＳ１Ｐ８  基準電位
ＩＮ  ＡＣ入力入力端子
ＯＵＴ  出力端子
【図１】
2009200958.tif 000003
【図２】
2009200958.tif 000004
【図３】
2009200958.tif 000005
【図４】
2009200958.tif 000006
【図５】
2009200958.tif 000007
【図６】
2009200958.tif 000008
【図７】
2009200958.tif 000009
【図８】
2009200958.tif 000010